(57)【要約】  【課題】  記憶媒体に散在する複数の画像ファイルの中から、所望のファイルを簡便に選択できるようにする。  【解決手段】  記憶媒体に既に構築されている階層構造のファイルシステム情報からディレクトリ構造の情報を取得し、これに基づいて全てのディレクトリから画像ファイルが直下に存在するディレクトリのみを抽出し、新たなディレクトリ構造の情報として、ルートディレクトリの直下に前記抽出で得たディレクトリを全て同一階層のディレクトリとして並列配置したものを生成し、この並列配置されたディレクトリを前記選択画面に画像ボタンとして一覧表示する。【選択図】          図１
2007310799.tif 000002
【特許請求の範囲】
【請求項１】
記憶媒体を接続し、この記憶媒体に蓄積された画像ファイルのデータを取得してその画像
を表示する投影式表示装置の画像ファイル選択方法であって、
ａ．前記記憶媒体に既に構築されている階層構造のファイルシステム情報からディレクト
リ構造の情報を取得し、
ｂ．前記ディレクトリ構造の情報に基づいて、全てのディレクトリから画像ファイルが直
下に存在するディレクトリのみを抽出し、
ｃ．新たなディレクトリ構造の情報として、ルートディレクトリの直下に前記抽出で得た
ディレクトリを全て同一階層のディレクトリとして並列配置したものを生成し、
ｄ．この並列配置されたディレクトリを、前記選択画面に画像ボタンとして一覧表示し、
ｅ．一覧表示されたそれぞれの画像ボタンに対応させてディレクトリ名を表示し、さらに
そのディレクトリに存在する画像ファイルの一つをサムネイル表示する、
以上の工程ａ〜ｅを備える画像ファイル選択方法。
【請求項２】
前記工程ｃで生成する新たなディレクトリ構造に設けられる画像ファイルの情報には、前
記既に構築されている階層構造における当該画像ファイルのフルパス情報を属性として保
有させることを特徴とする請求項１に記載の画像ファイル選択方法。
【請求項３】
前記画像ボタンとして一覧表示されたディレクトリの直下に複数の画像ファイルが存在す
る場合は、該ディレクトリ直下の先頭の画像ファイルを選択し、そのファイルのサムネイ
ルを画像ボタンに対応させて表示することを特徴とする請求項１あるいは２のいずれかに
記載の画像ファイル選択方法。
【発明の詳細な説明】
【技術分野】
【０００１】
本発明は、蓄積されたデジタル画像ファイルを投影式表示装置で表示する
場合の画像ファイル選択方法に係り，特にパーソナルコンピュータやメモリーカード等を
接続して、それらに設けられた記憶媒体に蓄積されている画像ファイルを投影式表示装置
で表示する際の画像ファイル選択方法に関するものである。
【背景技術】
【０００２】
従来から、写真やプリントアウトしたレポート等をデジタルカメラで撮影し、これから
得た画像データを静止画のデジタル画像データとして表示部で表示する表示装置が用いら
れている。この表示部としては、ＣＲＴやフラットパネルディスプレイ、あるいはスクリ
ーン上に投影する投影機が用いられる。そして静止画像を次々と投影表示して会議やプレ
ゼンテーションの場で利用されることもあり、この場合にはカメラ付きの投影式表示装置
を用いてその場で資料を撮影しながらスクリーンに投影する表示装置も一般に利用されて
いる。
【０００３】
このようにカメラで取得した画像情報をそのままリアルタイムで表示装置に表示する場
合もあるが、表示装置とパーソナルコンピュータとを接続することで、例えばプレゼンテ
ーション用の画像情報を予めパーソナルコンピュータに画像ファイルとして蓄積しておき
、のちにその画像データを表示する場合や、スムーズなプレゼンテーションのために画像
データを一時記憶する手段を設ける技術が開示されている（特許文献１）。
【０００４】
さらに最近では、特にプレゼンテーション等のために準備するのではなく、画像ファイ
ルが記録された手持ちのメモリーカードを表示装置に接続し、そのメモリーカードにある
所望の画像ファイルを表示装置で表示する場合や、パーソナルコンピュータと表示装置と
を接続し、特にプレゼンテーションを意識せずに既にパーソナルコンピュータ内の磁気デ
ィスクに取り込んである画像ファイルを表示する場合もある。
【０００５】
【特許文献１】特開２００４−４５９２０号公報（第１頁、図１）
【発明の開示】
【発明が解決しようとする課題】
【０００６】
前述の場合、つまり特にプレゼンテーション等を目的とした画像ファイルの表示を意識
せず、例えば手持ちのメモリーカードやパーソナルコンピュータの磁気ディスクに画像フ
ァイルが複数蓄積されている場合は、階層型ディレクトリ構造において異なる階層の複数
のディレクトリに散在した形で画像ファイルが蓄積されているのが一般的である。
【０００７】
図６において、１は表示装置、２はパーソナルコンピュータ、３はパーソナルコンピュ
ータに設けられた磁気ディスク、４はパーソナルコンピュータ等で画像ファイルが書き込
まれたメモリーカードである。またこの図で一点鎖線で囲んだ領域は、磁気ディスク３や
メモリーカード４の階層型のディレクトリ構造と、その構造の中に散在する画像ファイル
の様子を一例として示している。なお図６では表示装置にパーソナルコンピュータ２を接
続し、同時にメモリーカード４を使用するように描かれているが、実際の使用に際しては
、いずれか一方のみでもよい。
【０００８】
この一点鎖線の領域に表示された文字で、ＲＯＯＴはルートディレクトリを、ＳＵＢは
サブディレクトリを、画像は画像ファイルを、その他はその他形式のファイルを表してい
る。このように複数の階層にわたったディレクトリに複数の画像ファイルが散在する場合
、表示すべき所望の画像ファイルを選択あるいは検索するのには、現在のサブディレクト
リから次のサブディレクトリに到達するまでに、ディレクトリの階層構造を上り下りしな
ければならず、これを複数回繰り返さなければならない場合には、操作者にとって非常に
煩雑な作業となる。
【０００９】
本発明はこのような課題を解決するために、メモリーカードやパーソナルコンピュータ
の磁気ディスク等不特定の記憶媒体内に散在する画像ファイルの中から、表示すべき所望
の画像ファイルを簡便に選択可能とする画像ファイルの選択方法を提供ものである。
【課題を解決するための手段】
【００１０】
本発明は第１の態様として、記憶媒体を接続し、この記憶媒体に蓄積された画像ファイ
ルのデータを取得してその画像を表示する投影式表示装置の画像ファイル選択方法であっ
て、前記記憶媒体に既に構築されている階層構造のファイルシステム情報からディレクト
リ構造の情報を取得し、前記ディレクトリ構造の情報に基づいて、全てのディレクトリか
ら画像ファイルが直下に存在するディレクトリのみを抽出し、新たなディレクトリ構造の
情報として、ルートディレクトリの直下に前記抽出で得たディレクトリを全て同一階層の
ディレクトリとして並列配置したものを生成し、この並列配置されたディレクトリを、前
記選択画面に画像ボタンとして一覧表示し、一覧表示されたそれぞれの画像ボタンに対応
させてそのディレクトリ名を表示し、さらにそのディレクトリに存在する画像ファイルの
一つをサムネイル表示することを特徴とする画像ファイル選択方法を提供する。
【００１１】
また本発明は第２の態様として、前記新たなディレクトリ構造に設けられる画像ファイ
ルの情報には、前記既に構築されている階層構造における当該画像ファイルのフルパス情
報を属性として保有させることを特徴とする第１の態様として記載の画像ファイル選択方
法を提供する。
【００１２】
さらに本発明は第３の態様として、前記画像ボタンとして一覧表示されたディレクトリ
の直下に複数の画像ファイルが存在する場合は、該ディレクトリ直下の先頭の画像ファイ
ルを選択し、そのファイルのサムネイルを画像ボタンに対応させて表示することを特徴と
する第１あるいは第２の態様として記載の画像ファイル選択方法を提供する。
【発明の効果】
【００１３】
本発明の第１の態様によれば、画像ファイルがその直下に存在するディレクトリのみの
一覧から所望の画像ファイルを探すことができ、あるディレクトリ内から異なるディレク
トリ内に移動するのに、一旦１階層だけ上の階層に移動すればよいので、煩雑なディレク
トリ間の移動操作をしないで済む。また、各ディレクトリを示す画像ボタンにはそのディ
レクトリに存在する画像ファイルを代表してサムネイルが表示されているので、この画像
に基づく連想で画像ファイルの選択が容易になる。
【００１４】
また本発明の第２の態様によれば、画像ファイルを表示するために表示装置に接続され
た記憶媒体の記録を一切変更しないので、操作者は安心して表示装置に記憶媒体を接続し
て表示操作を行える。
【００１５】
また本発明の第３の態様によれば、元となるディレクトリ構造が、画像ファイルをカテ
ゴリー別にまとめるようになっていた場合は、ディレクトリ内の何れの画像ファイルが画
像ボタンにサムネイル表示されていても、そのディレクトリーの意味するカテゴリーが判
別できるので、予め画像ボタンにサムネイル表示する画像ファイルを選択して設定する手
間がかからない。
【発明を実施するための最良の形態】
【００１６】
次に添付図面を参照して本発明に係る画像ファイルの選択方法を詳細に説明する。
【００１７】
図１は本発明に係る画像ファイル選択方法を実施するためのハードウェア構成の一例を
示すものである。本図において符号１は取得した画像データを図示しないスクリーンに投
影して表示する投影式表示装置、２は投影式表示装置１に接続されたパーソナルコンピュ
ータ、３はパーソナルコンピュータ２に内蔵され複数の画像ファイルが蓄積された磁気デ
ィスク、４は複数の画像ファイルが蓄積されたメモリーカード、５は投影式表示装置１に
設けられたメモリーカード用スロットである。
【００１８】
図１には記憶媒体として磁気ディスク３とメモリーカード４とが描かれているが、ここ
では例として投影式表示装置１を用いてメモリーカード４に蓄積された画像データを表示
する様子を具体的に説明する。このメモリーカード４は、図示しない不特定のコンピュー
タのメモリーカードスロットに挿入されて、このコンピュータの一つのディレクトリがコ
ピーされたものであるとする。また、このようにメモリーカード４を使用する場合は、必
ずしもパーソナルコンピュータ２を投影式表示装置１に接続しなくてよい。
【００１９】
次にこのメモリーカード４に記録されたディレクトリの構造を図２に示す。図２におい
てコピーされた前記一つのディレクトリがこのメモリーカード５内ではルートディレクト
リに位置することとする。図２では、ルートディレクトリをＲＯＯＴと表記し、これより
下層のディレクトリをＳＵＢと表記するとともに各サブディレクトリを特定するための数
字（１〜７）を付してある。また、画像ファイルを画像、その他のファイルをその他と表
記してある。ここでは一般的なファイルの階層構造の一例を示すために、異なる階層のサ
ブディレクトリに画像ファイルが存在したり、一つのサブディレクトリの直下に画像ファ
イルと他のサブディレクトリが存在するような形態の階層構造を示している。
【００２０】
本実施例では、図１で示す投影式表示装置１が本発明に係る画像ファイル選択方法の機
能を有しており、この投影式表示装置１に設けられた押しボタンスイッチである画像選択
キーを押下することにより、図示しないスクリーン上に画像ファイルの選択画面が表示さ
れるものである。そして、図２で示すようなディレクトリ階層構造を記録したメモリーカ
ード４が、投影式表示装置１に設けられたメモリーカード用スロット５に挿入され、この
メモリーカード４に蓄積された画像ファイルから操作者が容易に所望の画像ファイルを選
択できるようにするものであり、この方法の流れを図３に基づいて説明する。
【００２１】
操作者が投影式表示装置１に設けられた画像選択キーを押下（図３のＳ１１）すると、
まず投影式表示装置１は、メモリーカードスロット５にメモリーカード４が挿入されてい
るかどうかをチェックする（図３のＳ１２）。このとき挿入されていなければメモリーカ
ードが挿入されていない旨のアラーム表示が行われる（図３のＳ１３）。ここでメモリー
カードが挿入されていれば、
工程ａ）メモリーカード４に記録されたメモリーカード４内のファイルシステム情報を投
影式表示装置１が取得し、
工程ｂ）このファイルシステム情報に基づいて、全てのディレクトリの中からその直下に
画像ファイルが存在するディレクトリのみを抽出し登録する。このときの登録は目的の画
像ファイルの位置情報すなわちフルパスの情報を登録することで行われる（図３のＳ１４
〜Ｓ１６）。
【００２２】
工程ｃ）次に、直下に画像ファイルを持った全てのディレクトリの情報を用いて画像フ
ァイル選択用のディレクトリ構造を新たに生成する。このディレクトリ構造は投影式表示
装置１に予め備えられた記憶手段に生成されるもので、ルートディレクトリの直下に前記
全てのフォルダを並列に配置する、つまりここで生成されるディレクトリ構造は、ルート
ディレクトリとその直下のサブディレクトリ（前記全てのディレクトリ）の２階層のみと
なる（図３のＳ１７および図１の一点鎖線内）。
【００２３】
工程ｄ）およびｅ）そして投影式表示装置１は図示しないスクリーン上に選択画面を投
影表示し、これらサブディレクトリをディレクトリ名が付された画像ボタンとして一覧表
示する。また、それぞれの画像ボタンには各ディレクトリ直下に存在する画像ファイルか
ら一つを選択し、そのサムネイルを画像ボタンに対応させて表示する（図３の１８〜１９
および図４）。
【００２４】
ここでサムネイル表示される画像は、操作者が指定する代表的な画像ファイルのもので
もよいが、本実施例の場合は操作者がサムネイル表示する画像を選択し設定する手間を省
くために、そのディレクトリ内の先頭の画像ファイルのものを表示するようにしている。
具体的には、工程ｃ）で生成された選択用ディレクトリ構造の情報に関連付けられた画像
ファイルのフルパス情報から、メモリーカード４内に実在する画像ファイルをアクセスす
るのであるが、そのとき当該ディレクトリ内の先頭の画像ファイルのデータからサムネイ
ルを生成するものである。
【００２５】
操作者が、このように選択画面に表示された画像ボタンの一覧から所望のボタンを選択
し指示すると、前記スクリーン上の選択画面が切り替わり、メモリーカード４に実際に記
録されている指示されたディレクトリ直下の全ての画像ファイルのサムネイルが一覧表示
され（図５）、その中から表示すべき画像のサムネイルを指示することで、目的の画像が
前記スクリーン上に表示（投影）される。
【００２６】
このとき目的とする画像ファイルがこのディレクトリ直下に存在しないこともあるが、
その場合はもとの画面（ディレクトリの画像ボタン一覧）に戻って再度所望のボタンを選
択することになる。また選択したディレクトリに表示すべき画像ファイルがあった場合で
も、次に表示すべき画像ファイルがこのディレクトリに存在しない場合はディレクトリの
画像ボタン一覧画面に戻って再度所望の画像ボタンを選択する。
【００２７】
このように、画像ファイル一覧から一度だけ画面を切り換えることでディレクトリの画
像ボタン一覧画面に戻り、ディレクトリの再選択ができるので、メモリーカード４から直
接的に目的の画像ファイルを選択する場合と比較し、格段に簡易な操作での選択を可能と
する。
【図面の簡単な説明】
【００２８】
【図１】本発明の実施形態を示す図
【図２】本発明の実施形態を示す図
【図３】本発明の実施形態を示すフローチャート図
【図４】本発明の実施形態を示す図
【図５】本発明の実施形態を示す図
【図６】従来の技術を示す図
【符号の説明】
【００２９】
１  投影式表示装置
２  パーソナルコンピュータ
３  磁気ディスク
４  メモリーカード
５  カードスロット
【図１】
2007310799.tif 000003
【図２】
2007310799.tif 000004
【図３】
2007310799.tif 000005
【図４】
2007310799.tif 000006
【図５】
2007310799.tif 000007
【図６】
2007310799.tif 000008